(57)【要約】【課題】木枠のように経年変化せずに、キャンバスの平面性を維持することができる絵画用パネルの提供。【解決手段】和紙からなる複数の層を有する被装材を、スギ、ヒノキ、マキ、キリから選択される少なくとも何れか、からなる角材を格子状に組んだ格子状骨格の外表面に張着した、絵画用パネル。【選択図】図１
2020069755.tif 000002
【特許請求の範囲】
【請求項１】
和紙からなる複数の層を有する被装材を、スギ、ヒノキ、マキ、キリから選択される少なくとも何れか、からなる角材を格子状に組んだ格子状骨格の外表面に張着した、絵画用パネル。
【請求項２】
前記和紙が、楮繊維からなる、請求項１に記載の絵画用パネル。
【請求項３】
前記角材が、スギ材の辺材を加工してなる、請求項１又は２に記載の絵画用パネル。
【請求項４】
前記格子状骨格は、外枠の見付け幅Ｘが１８ｍｍ以上であり、見込み幅Ｙが１３〜３０ｍｍである、請求項１〜３の何れかに記載の絵画用パネル。
【請求項５】
前記被装材が、前記格子状骨格側から順に、骨格縛層、胴張層、蓑張層、蓑縛層、下袋層、上袋層、及び京張層の各層を有する、請求項1〜４の何れかに記載の絵画用パネル。
【請求項６】
前記蓑張層が二偏蓑層及び三偏蓑層の少なくとも何れかである、請求項５に記載の絵画用パネル。
【発明の詳細な説明】
【技術分野】
【０００１】
本発明は、絵画用パネルに関する。
【背景技術】
【０００２】
一般的に、油彩画は、麻布等のキャンバスからなる支持体上に、目止め層、下地層、絵画層、ニス層を重ねて構成される。
【０００３】
前記支持体としては、フレーム状に組んだ木枠にキャンバスを張り留めした、いわゆる張りキャンバス（特許文献１等）が使用されることが多い。
【０００４】
しかし、木枠に張り留めしたキャンバスは、経年変化によって木枠が変形してしまい、キャンバスの平面性が損なわれると同時に絵具層に損傷を及ぼすという欠点があった。
画家は、ピンと張られたキャンバスの平面上で創作を行うため、キャンバスの平面性が損なわれることは、すなわち、画家の意図が損なわれ、絵画の価値が損なわれることを意味する。
【先行技術文献】
【特許文献】
【０００５】
【特許文献１】特開２００７−３１３７４６号公報
【発明の概要】
【発明が解決しようとする課題】
【０００６】
本発明はこのような事情に鑑みてなされたものであり、本発明は従来技術の課題を解決し、木枠のように経年変化せずに、キャンバスの平面性を長く維持することができる絵画用パネルの提供を目的とする。
【課題を解決するための手段】
【０００７】
本発明は、以下の［１］〜［６］を提供する。
［１］  和紙からなる複数の層を有する被装材を、スギ、ヒノキ、マキ、キリから選択される少なくとも何れか、からなる角材を格子状に組んだ格子状骨格の外表面に張着した、絵画用パネル。
［２］  和紙が、楮繊維からなる、［１］の絵画用パネル。
［３］  前記角材が、スギ材の辺材を加工してなる、［１］又は［２］の絵画用パネル。
［４］  前記格子状骨格は、外枠の見付け幅Ｘが１８ｍｍ以上であり、見込み幅Ｙが１３〜３０ｍｍである、［１］〜［３］の何れかの絵画用パネル。
［５］  前記被装材が、前記格子状骨格側から順に、骨格縛層、胴張層、蓑張層、蓑縛層、下袋層、上袋層、及び京張層の各層を有する、［１］〜［４］の何れかの絵画用パネル。
［６］  前記蓑張層が、二偏蓑層及び三偏蓑層の少なくとも何れかである、［５］の絵画用パネル。
【発明の効果】
【０００８】
本発明によれば、木枠のように経年変化せずに、キャンバスの平面性を長く維持することができる絵画用パネルを提供することができる。
【図面の簡単な説明】
【０００９】
【図１】本発明の一実施形態に係る絵画用パネルを部分的に切り欠いた状態における正面図である。
【発明を実施するための形態】
【００１０】
以下、本発明の一実施形態の絵画の画面保護構造を詳細に説明する。ただし、本発明は下記の実施形態に限定されるものではない。
【００１１】
図１に示すように、絵画用パネル１は、格子状骨格２と、該格子状骨格の外表面に張着された被装材３とで構成される。ここで張着とは、張力を加えた状態でピンと張って着けることを意味する。
【００１２】
前記被装材３は、和紙からなる複数の層で構成される。
ここで和紙とは、楮などの植物から直接取り出した繊維を原料として、日本に古くから伝わる伝統的技法によって得られた中性の和紙を意味する。
和紙は、薬品を殆ど使用せずに作られるため、中性であるという特性を有する。また、和紙は、長い植物繊維が絡み合って結合してシート状になっているものであり、顕微鏡で観察すると多数の隙間が観察され、通気性に優れるという特性を有する。
【００１３】
層構成が同一の被装材３を、格子状骨格２の表面と裏面の双方の表面に張着することが好ましい。これにより、平面性を損なう要因となる絵画用パネル１の撓みを回避することができる。
【００１４】
前記格子状骨格２は、スギ、ヒノキ、マキ、キリから選択される少なくとも何れか、からなる角材を用い、これらを格子状に組んで構成することができる。框からは竹釘又は、空木を用いて打ち締めを行うことが好ましい。
前記格子状骨格２を構成する角材は、ヤニが少なく、軽量で、加工性に優れた木材からなることが好ましく、スギ材の辺材を加工してなるものであることが好ましい。
ここで、スギ材の辺材とは、スギ材の中心部である心材（赤身・赤味）に対して外周部に位置する部分、即ち、幹樹の外周部の淡色の部分のことであり、白太とも呼ばれているところである。辺材は、一般的に、心材（赤身・赤味）よりもヤニが少なくなっているため、ヤニによる絵画の汚染の問題をより効果的に回避することができる。
ヤニの少ないスギの白太の角材を、柾目を表側に向けで構成することで、経時変化によって、歪みが出たり絵画用パネル１にヤニが染み出て絵画を汚染する危険性を回避することができる。
【００１５】
和紙からなる複数の層を有する被装材を、スギ等の角材からなる格子状骨格の外表面に張着した、本発明の絵画用パネル１は、中性であって、更に、軽量かつ通気性に優れ、表面の平面性が半永久的に維持される、という各特性を合わせ持つ。
【００１６】
中性の前記絵画用パネル１を従来の木枠に代えて用い、キャンバスを張り留めしたものを油彩画用の支持体として使用することで、油彩画を構成するキャンバスや絵画層における酸化劣化の進行を抑制することができる。
通気性に優れる前記絵画用パネル１を従来の木枠に代えて用い、キャンバスを張り留めしたものを油彩画用の支持体として使用することで、キャンバスの裏面における湿気による伸縮の防止とカビの発生を抑制することができる。
表面の平面性が半永久的に維持される前記絵画用パネル１を従来の木枠に代えて用い、キャンバスを張り留めしたものを油彩画用の支持体として使用することで、キャンバスの平面性を半永久的に良好に維持する事ができ、絵具層を健全に保持することができる。
【００１７】
前記被装材３を構成する和紙は、植物から得た繊維を原料としたものであることが好ましく、美濃紙、石州紙、細川紙、雁皮紙などを例示することができる。
前記植物としては、楮（こうぞ）、三椏（みつまた）、雁皮（がんぴ）、麻、綿、竹、藁、樹木、ケナフ、草木の葉から選ばれた１種または２種以上の組み合わせを例示できる。
本発明の用途には、楮からなる手漉き和紙を用いることが特に好ましい。楮からなる手漉き和紙は、繊維が長く、裂けにくく、強靭であるという特性を備え、修復の裏打ち用にも使用される。
【００１８】
図１に示すように、本実施形態における前記被装材３は、前記格子状骨格２に面した側から順に、骨格縛層３１、胴張層３２、蓑張層３３、蓑縛層３４、下袋層３５、上袋層３６、及び京張層３７の各層を有する。
【００１９】
骨格縛層３１は、前記格子状骨格２に貼付けられた和紙の層である。繊維の強い和紙からなり、前記格子状骨格２を締め付けてガタつきなどがないようにする機能を有する。
胴張層３２は、前記骨格縛層３１に貼付けられた和紙の層である。前記格子状骨格２が表面から透けないようする機能、及び、前記骨格縛層３１の骨格縛をより強固にする機能を有する。
蓑張層３３は、胴張層３２に貼付けられた和紙の層である。薄い手漉き和紙からなり、和紙をずらしながら重ねて蓑のように貼付ける方法で形成され、クッション機能を有する。本発明の用途には、薄い手漉き和紙を２枚張り重ねた二偏蓑層又は薄い手漉き和紙を３枚張り重ねた三偏蓑層の少なくとも何れかであることが好ましく、三偏蓑層とすることが特に好ましい。
蓑縛層３４は、蓑張層３３に貼付けられた和紙の層である。蓑張層３３を固定させる機能を有する。
下袋層３５は、蓑縛層３４に貼付けられた和紙の層である。上袋層３６は、下袋層３５に貼付けられた和紙の層である。薄手の手漉き和紙からなり、紙の周囲にだけ細くのりをつけて袋状に貼付ける方法で形成され、袋状になった和紙が和紙本来の柔らかな風合いを示す。
京張層３７は、上袋層３６に貼付けられた和紙の層である。絵画用パネル１の表面となる。
【００２０】
前記格子状骨格２の外枠の見付け幅（図１のＸ）及び見込み幅（正面から見た際の奥行幅Ｙ）は、作品の特徴に合わせて調整する事が可能であるが、油彩画用のキャンバスを釘で張り留めして用いるために、以下の条件を満足することが好ましい。以下、キャンバス用の釘をタックス、ガンタッカで打ち込まれる針をステープルという。
見付け幅Ｘを、タックスもしくはステープルの長さを「Ｘ´ｍｍ」として、Ｘ´ｍｍ＋８ｍｍ以上確保し、見込み幅Ｙを、タックスもしくはステープルの長さを「Ｙ´ｍｍ」として、Ｙ´＋３ｍｍ以上確保することで、絵画用パネル１に、キャンバスを安定して張り留めすることができ、格子状骨格２の割れを防ぐことができる。タックスもしくはステープルの長さは通常、１０ｍｍである。
見付け幅Ｘは、可能な範囲で広めに確保することが好ましい。見付け幅Ｘは、Ｘ´＋８〜１０ｍｍであることが好ましく、Ｘ´＋８〜２０ｍｍであることがより好ましく、Ｘ´＋８〜４０ｍｍであることが更に好ましい。
見込み幅Ｙは、狭い方が額に入りやすい。見込み幅Ｙは、Ｙ´＋３〜２０ｍｍであることが好ましく、Ｙ´＋７〜１５ｍｍであることがより好ましく、Ｙ´＋８〜１０ｍｍであることが更に好ましい。見込み幅Ｙは見込み幅Ｙの上限をＹ´ｍｍ＋２０ｍｍとすることで、各種タイプの額縁に対し、絵画用パネル１を収めることができる。
【００２１】
本発明の絵画用パネル１に、油彩画用のキャンバスを張り留めする作業は、従来の木枠への張り留めと同様に、例えば、木槌とタックスを用いて、または、ガンタッカとステープルを用いて、行うことができる。
タックスやステープルは、通常、前記格子状骨格２の外枠の外側面もしくは内側面に打ち込まれる。
絵画用パネル１に張り留めするキャンバスが、絵画層修復後のキャンバスである場合は、ストリップ・ライニングによって貼り付けられた別布部分に対して、タックスやステープルの打ち込みを行うことが好ましい。ここで、ストリップ・ライニングとは、キャンバスの外縁に別の布を貼り付けて、キャンバスの外縁を補強する処置方法を意味する。
本明細書において、キャンバスの外縁とは、絵具層を有さず、折り曲げられてキャンバス用の鉄釘などで木枠に固定されている箇所を意味する。キャンバスの外縁は、前記のように、絵具層が無いため酸化劣化が進行しやすく、また、折り曲げられて鉄釘などで木枠に固定されているため、傷みやすく、裂けや穴などの症状が出やすくなっている。
ストリップ・ライニングによって貼り付けられた別布部分に対して、タックスやステープルの打ち込みを行う場合、絵画用パネル１の背面側で、外枠の内側面に対して打ち込みが行われる。
【００２２】
前記格子状骨格２は、外枠の見付け幅（図１のＸ）は、格子状骨格２の横幅（図１のＷ）の５％〜８％の長さとすることがより好ましい。
外枠の見付け幅（図１のＸ）を格子状骨格２の横幅（図１のＷ）の５％〜８％の長さとすることで、キャンバスのサイズに関わらず、キャンバスの平面性を安定して確保することができる。
【００２３】
上記構成からなる本発明によれば、木枠のように経年変化せずに、キャンバスの平面性を長く維持することができる絵画用パネルを提供することができる。
本発明の絵画用パネルにキャンバスを張って使用することで、キャンバスや絵画層における酸化劣化の進行を抑制することができ、キャンバスの裏面におけるカビの発生を抑制することができ、キャンバスの平面性と絵具層を半永久的に良好に維持することができる。
【符号の説明】
【００２４】
１    絵画用パネル
２    格子状骨格
３    被装材
３１  骨格縛層
３２  胴張層
３３  蓑張層
３４  蓑縛層
３５  下袋層
３６  上袋層
３７  京張層
【図１】
2020069755.tif 000003